(57)【要約】【課題】実世界の様々な位置の事象や状況に関連する情報を幅広く収集し、その位置に関する感情情報と共にユーザに提供することが可能な情報提供装置を提供する。【解決手段】携帯端末又は対象車両のユーザ向けの情報提供装置であって、車両により任意の位置で取得されたセンシング情報を、該車両から収集するセンシング情報収集部と、任意の位置に関する、人の感情情報を、当該情報提供装置の外部から収集する感情情報収集部と、携帯端末又は対象車両に搭載される表示部に地図画面を表示させると共に、センシング情報、及び該センシング情報が車両により取得された取得位置に関する感情情報のそれぞれに含まれる情報を地図画面上の対応する位置に表示させる表示制御部と、を備える。【選択図】図６
2019020784.tif 000002
【特許請求の範囲】
【請求項１】
携帯端末又は対象車両のユーザ向けの情報提供装置であって、
車両により任意の位置で取得されたセンシング情報を、該車両から収集するセンシング情報収集部と、
任意の位置に関する、人の感情情報を収集する感情情報収集部と、
前記携帯端末又は前記対象車両に搭載される表示部に地図画像を表示させると共に、前記センシング情報、及び該センシング情報が前記車両により取得された取得位置に関する前記感情情報のそれぞれに含まれる情報を前記地図画像上の対応する位置に表示させる表示制御部と、を備える、
情報提供装置。
【請求項２】
前記表示制御部は、前記センシング情報が前記車両により取得された取得時刻から所定時間内の前記感情情報に含まれる情報を前記地図画像上の対応する位置に表示させる、
請求項１に記載の情報提供装置。
【請求項３】
前記表示制御部は、直近の所定時間内で取得された前記センシング情報に含まれる情報を前記地図画像上の対応する位置に表示させる、
請求項１又は２に記載の情報提供装置。
【請求項４】
前記センシング情報収集部により収集される前記センシング情報に基づき、該センシング情報が前記車両により取得された取得位置の周辺の事象又は状況を判断するセンシング情報分析部を更に備え、
前記表示制御部は、前記センシング情報に含まれる情報として、前記事象又は前記状況に関する情報を前記地図画像上の対応する位置に表示させる、
請求項１乃至３の何れか一項に記載の情報提供装置。
【請求項５】
前記感情情報収集部により収集される、共通の位置に関する前記感情情報に基づき、該感情情報により示される、ポジティブ感情とネガティブ感情との区別を含む感情傾向を判断する感情情報分析部を更に備え、
前記表示制御部は、前記感情情報に含まれる情報として、前記感情傾向に関する情報を前記地図画像上の対応する位置に表示させる、
請求項１又は２に記載の情報提供装置。
【請求項６】
前記センシング情報には、前記車両の周辺を撮像した撮像画像が含まれる、
請求項１乃至５の何れか一項に記載の情報提供装置。
【請求項７】
前記感情情報収集部は、ソーシャルネットワーキングサービスを含むウェブ上から前記感情情報を収集する、
請求項１乃至６の何れか一項に記載の情報提供装置。
【請求項８】
前記携帯端末を所持するユーザの移動手段に関する移動手段情報を取得する移動手段情報取得部を更に備え、
前記表示制御部は、前記移動手段情報取得部により取得されるユーザの移動手段の別に基づき、前記携帯端末の前記表示部に表示される前記地図画像に含まれるエリアを異ならせる、
請求項１乃至７の何れか一項に記載の情報提供装置。
【請求項９】
前記表示制御部は、前記携帯端末又は前記対象車両のユーザの目的地に基づき、前記表示部に表示される前記地図画像に含まれるエリアを異ならせる、
請求項１乃至８の何れか一項に記載の情報提供装置。
【請求項１０】
前記携帯端末又は前記対象車両のユーザの現在地から目的地までの間で、前記表示制御部が前記表示部の前記地図画像上に表示させる、前記センシング情報及び前記感情情報のそれぞれに含まれる情報に関する位置の中から推奨する経由地を決定する経由地推奨部を更に備え、
前記表示制御部は、前記経由地推奨部により推奨される経由地を前記地図画像上に表示させる、
請求項１乃至９の何れか一項に記載の情報提供装置。
【請求項１１】
前記ユーザの嗜好に関する特性情報を取得する特性情報取得部を更に備え、
前記経由地推奨部は、前記特性情報に基づき、前記経由地を決定する、
請求項１０に記載の情報提供装置。
【請求項１２】
前記ユーザのスケジュール情報を取得するスケジュール情報取得部を更に備え、
前記経由地推奨部は、前記ユーザの現在地から前記スケジュール情報に基づく次のスケジュールに対応する目的地までの間で、前記次のスケジュールまでの空き時間に基づき、
前記経由地を決定する、
請求項１０又は１１に記載の情報提供装置。
【発明の詳細な説明】
【技術分野】
【０００１】
本発明は、情報提供装置に関する。
【背景技術】
【０００２】
ある位置で抱いた感情情報と、その位置の音声情報等とをユーザが携帯電話等に記録し、記録された情報をサーバで集約し、位置情報と紐付けて記憶させると共に、地図上の対応する位置に当該記憶データを添付する技術が知られている（例えば、特許文献１等参照）。
【先行技術文献】
【特許文献】
【０００３】
【特許文献１】特表２０１２−５０９５３４号公報
【発明の概要】
【発明が解決しようとする課題】
【０００４】
しかしながら、特許文献１では、音声情報等のその位置の事象や状況等に関する情報と感情情報との双方を同じユーザが自発的に記録するため、双方の情報が主観的な情報になり、情報が記録される場所やその対象となる事象や状況に偏りが生じうる。よって、実世界の様々な位置の事象や状況等に幅広く対応して、その位置の事象や状況に関する情報とその位置に関する感情情報とを関連付けた地図を生成し、ユーザに提供することが困難になる可能性がある。
【０００５】
そこで、上記課題に鑑み、実世界の様々な位置の事象や状況に関連する情報を幅広く収集し、その位置に関する感情情報と共にユーザに提供することが可能な情報提供装置を提供することを目的とする。
【課題を解決するための手段】
【０００６】
上記目的を達成するため、本発明の一実施形態では、
携帯端末又は対象車両のユーザ向けの情報提供装置であって、
車両により任意の位置で取得されたセンシング情報を、該車両から収集するセンシング情報収集部と、
任意の位置に関する、人の感情情報を収集する感情情報収集部と、
前記携帯端末又は前記対象車両に搭載される表示部に地図画像を表示させると共に、前記センシング情報、及び該センシング情報が前記車両により取得された取得位置に関する前記感情情報のそれぞれに含まれる情報を前記地図画像上の対応する位置に表示させる表示制御部と、を備える、
情報提供装置が提供される。
【０００７】
本実施形態によれば、ウェブ等から収集される主観的な情報である感情情報とは、別に、任意の位置の事象或いは状況に関連する情報として、車両（プローブ）からセンシング情報が収集される。センシング情報は、車両の乗員の意思とは関係なく、車両の移動に伴い、様々な場所で取得されうると共に、多数の車両から取得されうる。従って、情報提供装置は、実世界の様々な位置の事象や状況に関連するセンシング情報を幅広く収集し、センシング情報の取得位置に対応する感情情報と共に、それぞれの内容を地図画像上の対応する位置に表示させ、ユーザに提供することができる。
【０００８】
また、上述の実施形態において、
前記表示制御部は、前記センシング情報が前記車両により取得された取得時刻から所定時間内の前記感情情報に含まれる情報を前記地図画像上の対応する位置に表示させてもよい。
【０００９】
本実施形態によれば、携帯端末或いは対象車両の表示部には、センシング情報の取得位置に関する感情情報のうち、取得時刻周辺の時間帯の感情情報が表示される。従って、情報提供装置は、センシング情報の取得時刻及び取得位置における事象や状況に対応する感情情報を携帯端末或いは対象車両の表示部の地図画像上に適切に表示させることができる。
【００１０】
また、上述の実施形態において、
前記表示制御部は、直近の所定時間内で取得された前記センシング情報に含まれる情報を前記地図画像上の対応する位置に表示させてもよい。
【００１１】
本実施形態によれば、情報提供装置は、直近の所定時間内の比較的新しい、即ち、リアルタイム性の高い、センシング情報に含まれる情報を、携帯端末或いは対象車両の表示部に表示させることができる。
【００１２】
また、上述の実施形態において、
前記センシング情報収集部により収集される前記センシング情報に基づき、該センシング情報が前記車両により取得された取得位置の周辺の事象又は状況を判断するセンシング情報分析部を更に備え、
前記表示制御部は、前記センシング情報に含まれる情報として、前記事象又は前記状況に関する情報を前記地図画像上の対応する位置に表示させてもよい。
【００１３】
本実施形態によれば、情報提供装置は、センシング情報に基づき、取得位置の周辺の事象又は状況を判断し、具体的に、センシング情報の取得位置周辺の事象又は状況を携帯端末或いは対象車両の表示部に表示させることができる。
【００１４】
また、上述の実施形態において、
前記感情情報収集部により収集される、共通の位置に関する前記感情情報に基づき、該感情情報により示される、ポジティブ感情とネガティブ感情との区別を含む感情傾向を判断する感情情報分析部を更に備え、
前記表示制御部は、前記感情情報に含まれる情報として、前記感情傾向に関する情報を前記地図画像上の対応する位置に表示させてもよい。
【００１５】
本実施形態によれば、情報提供装置は、例えば、共通の位置に関する感情情報から当該位置に関するポジティブ感情が多いのか、ネガティブ感情が多いのかを判断し、具体的に、このような感情傾向を携帯端末或いは対象車両の表示部に表示させることができる。
【００１６】
また、上述の実施形態において、
前記センシング情報には、前記車両の周辺を撮像した撮像画像が含まれてもよい。
【００１７】
本実施形態によれば、情報提供装置は、例えば、撮像画像に対する既知の画像認識処理等を施すことにより、撮像画像の取得位置の周辺の様々な事象や状況を具体的に判断し、携帯端末或いは対象車両の表示部に表示させることができる。
【００１８】
また、上述の実施形態において、
前記感情情報収集部は、ソーシャルネットワーキングサービスを含むウェブ上から前記感情情報を収集してもよい。
【００１９】
本実施形態によれば、情報提供装置は、ウェブ上に出力される多数の感情情報の中からセンシング情報の取得位置に関する情報を収集することができる。従って、情報提供装置は、様々な位置に関する感情情報を幅広く収集し、ユーザに提供することができる。
【００２０】
また、上述の実施形態において、
前記携帯端末を所持するユーザの移動手段に関する移動手段情報を取得する移動手段情報取得部を更に備え、
前記表示制御部は、前記移動手段情報取得部により取得されるユーザの移動手段の別に基づき、前記携帯端末の前記表示部に表示される前記地図画像に含まれるエリアを異ならせてもよい。
【００２１】
本実施形態によれば、情報提供装置は、例えば、移動手段によって、ユーザの想定される移動距離が異なり得るところ、想定される移動距離に合わせて、地図画像に表示されるエリアの大きさを変更させることができる。従って、情報提供装置は、ユーザが実際に移動可能な位置に関するセンシング情報及び感情情報のそれぞれに含まれる情報をユーザに提供することができる。
【００２２】
また、上述の実施形態において、
前記表示制御部は、前記携帯端末又は前記対象車両のユーザの目的地に基づき、前記表示部に表示される前記地図画像に含まれるエリアを異ならせてもよい。
【００２３】
本実施形態によれば、情報提供装置は、例えば、現在地からユーザが向かう目的地までの移動方向寄りのエリアの地図画像を表示させたり、目的地までの距離が比較的遠い場合、地図画像の縮尺を小さくしたり等することができる。従って、情報提供装置は、ユーザが向かう目的地までの移動経路の方面の位置に関するセンシング情報及び感情情報のそれぞれに含まれる情報をユーザに提供することができる。
【００２４】
また、上述の実施形態において、
前記携帯端末又は前記対象車両のユーザの現在地から目的地までの間で、前記表示制御部が前記表示部の前記地図画像上に表示させる、前記センシング情報及び前記感情情報のそれぞれに含まれる情報に関する位置の中から推奨する経由地を決定する経由地推奨部を更に備え、
前記表示制御部は、前記経由地推奨部により推奨される経由地を前記地図画像上に表示させてもよい。
【００２５】
本実施形態によれば、情報提供装置は、ユーザの現在地から目的地までの間で、地図画像上に表示される対象の情報（センシング情報及び感情情報のそれぞれに含まれる情報）に関する位置の中から、例えば、感情情報に含まれる情報としてポジティブ感情に関する情報が示される位置を経由地としてユーザに推奨することができる。
【００２６】
また、上述の実施形態において、
前記ユーザの嗜好性に関する特性情報を取得する特性情報取得部を更に備え、
前記経由地推奨部は、前記特性情報に基づき、前記経由地を決定してもよい。
【００２７】
本実施形態によれば、情報提供装置は、携帯端末或いは対象車両のユーザの嗜好性に合わせて、例えば、ユーザの嗜好性に適合する施設や店舗等の場所を経由地として推奨することができる。
【００２８】
また、上述の実施形態において、
前記ユーザのスケジュール情報を取得するスケジュール情報取得部を更に備え、
前記経由地推奨部は、前記ユーザの現在地から前記スケジュール情報に基づく次のスケジュールに対応する目的地までの間で、前記次のスケジュールまでの空き時間に基づき、
前記経由地を決定してもよい。
【００２９】
本実施形態によれば、情報提供装置は、例えば、携帯端末等のスケジュールアプリを連携し、ユーザのスケジュール情報を取得し、現在地から次のスケジュールの目的地までの間で、空き時間に合わせた経由地を推奨することができる。
【発明の効果】
【００３０】
上述の実施形態によれば、実世界の様々な位置の事象や状況に関連する情報を幅広く収集し、その位置に関する感情情報と共にユーザに提供することが可能な情報提供装置を提供することができる。
【図面の簡単な説明】
【００３１】
【図１】情報提供システムの構成の一例を示す図である。
【図２】車両の機能的な構成の一例を示す機能ブロック図である。
【図３】センタサーバの機能的な構成の一例を示す機能ブロック図である。
【図４】携帯端末の機能的な構成の一例を示す機能ブロック図である。
【図５】撮像画像の具体例を示す図である。
【図６】携帯端末のディスプレイに表示される合成地図画像の一例を示す図である。
【発明を実施するための形態】
【００３２】
以下、図面を参照して発明を実施するための形態について説明する。
【００３３】
［情報提供システムの構成］
まず、図１〜図５を参照して、本実施形態に係る情報提供システム１の構成について説明する。
【００３４】
図１は、本実施形態に係る情報提供システム１の構成の一例を示す図である。図２は、本実施形態に係る車両３の機能的な構成の一例を示す機能ブロック図である。図３は、本実施形態に係る携帯端末４の機能的な構成の一例を示す機能ブロック図である。図４は、本実施形態に係るセンタサーバ５の機能的な構成の一例を示す機能ブロック図である。
【００３５】
図１に示すように、本実施形態に係る情報提供システム１は、複数の車両３と、複数の携帯端末４と、それぞれの車両３及びそれぞれの携帯端末４と通信可能に接続されるセンタサーバ５を含む。
【００３６】
尚、一の車両３は、情報提供システム１に関連して、他の車両３と略同じ構成を有する。また、一の携帯端末４は、情報提供システム１に関連して、他の携帯端末４と略同じ構成を有する。そのため、図中には、一の車両３及び一の携帯端末４が代表的に示されている。
【００３７】
図２に示すように、車両３は、ＤＣＭ（Data Communication Module）３１と、ＥＣＵ（Electronic Control Unit）３２と、ＧＰＳ（Global Positioning System）モジュール３３と、カメラ３４を含む。
【００３８】
ＤＣＭ３１は、例えば、多数の基地局を末端とする携帯電話網やインターネット網等を含む所定の通信ネットワークＮＷ１（以下、通信ネットワークＮＷ２についても同様）を通じて、センタサーバ５と双方向で通信を行う通信デバイスである。ＤＣＭ３１は、ＣＡＮ（Controller Area Network）等の車載ネットワークを通じて、ＥＣＵ３２を含む各種ＥＣＵと相互に通信可能に接続される。
【００３９】
ＥＣＵ３２は、車両３における所定の機能に関する各種制御処理を行う電子制御ユニットである。例えば、ＥＣＵ３２は、車両３の各種状態（車両状態）、車両３の乗員の状態、及び車両３の周辺の状態等に関する各種情報（車両情報）を取得し、ＤＣＭ３１を介して、プローブ情報としてセンタサーバ５にアップロードする処理を行う。車両情報には、車両３の各種制御状態に対応する制御信号に関する情報（制御信号情報）や、車両３に搭載される各種センシングデバイスにより取得される各種情報（センシング情報）が含まれうる。ＥＣＵ３２は、その機能が任意のハードウェア、ソフトウェア、或いはその組み合わせ等により実現されてよい。ＥＣＵ３２は、例えば、ＣＰＵ（Central Processing Unit）、ＲＡＭ（Read Only Memory）、ＲＯＭ（Read Only Memory）、補助記憶装置、Ｉ／Ｏ（Input-Output interface）を含むマイクロコンピュータを中心に構成される。ＥＣＵ３２は、例えば、ＲＯＭや補助記憶装置に格納される一以上のプログラムをＣＰＵ上で実行することにより実現される機能部として、車両情報取得部３２１と、プローブ情報送信部３２２を含む。
【００４０】
尚、ＥＣＵ３２の機能の一部は、一又は複数の他のＥＣＵにより分担されてもよい。
【００４１】
車両情報取得部３２１は、ＧＰＳモジュール３３、カメラ３４等から入力される車両情報をＲＡＭ内のバッファ等から取得する。具体的には、車両情報取得部３２１は、ＧＰＳモジュールから入力される車両３の位置情報を取得する。また、車両情報取得部３２１は、カメラ３４から入力される車両３の周辺の撮像画像（センシング情報の一例）を取得する。
【００４２】
プローブ情報送信部３２２は、所定周期ごとに、車両情報取得部３２１により取得される各種車両情報と、該車両情報に対応する時刻情報（例えば、該車両情報が取得されたときの時刻情報）等を含むプローブ情報を生成する。そして、プローブ情報送信部３２２は、ＤＣＭ３１を介して、生成したプローブ情報をセンタサーバ５に送信する。即ち、プローブ情報には、各種センシング情報と、各種センシングデバイスによりセンシング情報が取得された時刻に関する時刻情報が含まれる。
【００４３】
尚、車両３からセンタサーバ５に送信されるプローブ情報には、各種車両情報に対応する時刻情報（即ち、センシング情報が取得された時刻情報）が含まれなくてもよい。この場合、センタサーバ５は、車両３におけるプローブ情報の送信時刻、センタサーバ５におけるプローブ情報の受信時刻、或いはこれらの時刻から算出される、車両３の位置情報に対応する推定時刻等を、各種車両情報に対応する時刻情報としてよい。そして、センタサーバ５は、当該時刻情報を、車両３から受信されたプローブ情報における各種車両情報に対応する時刻情報として、当該プローブ情報に追加すればよい。
【００４４】
ＧＰＳモジュール３３は、車両３の上空の三以上、好ましくは、四以上の衛星から送信されるＧＰＳ信号を受信し、自己が搭載される車両３の位置を測位する。ＧＰＳモジュール３３は、一対一の通信線やＣＡＮ等の車載ネットワークを通じてＥＣＵ３２等と通信可能に接続され、測位された車両３の位置情報は、ＥＣＵ３２等に入力される。
【００４５】
カメラ３４は、車両３の周辺、例えば、車両３の前方の所定の撮像範囲を撮像する既知の撮像手段である。カメラ３４は、例えば、車両３のフロントウィンドウの車室内側の中央上端部、即ち、車両３の室内側のフロントヘッダの左右中央部に取り付けられる。カメラ３４は、車両３のイグニッションオン（ＩＧ−ＯＮ）により起動し、起動後、車両３のイグニッションオフ（ＩＧ−ＯＦＦ）までの間で、所定周期、例えば、１／３０秒ごとに、車両３の前方の所定の撮像範囲を撮像する。カメラ３４は、一対一の通信線やＣＡＮ等の車載ネットワークを通じてＥＣＵ３２と通信可能に接続され、撮像画像は、ＥＣＵ３２に入力される。
【００４６】
携帯端末４は、例えば、情報提供対象であるユーザが所持する携帯電話、スマートフォン、タブレット端末等である。図３に示すように、携帯端末４は、通信機器４１と、処理装置４２と、ＧＰＳモジュール４３と、加速度センサ４４と、タッチパネルディスプレイ（以下、単に「ディスプレイ」と称する）４５を含む。
【００４７】
通信機器４１は、処理装置４２による制御の下、所定の通信ネットワークＮＷ２を通じて、センタサーバ５と双方向で通信を行うデバイスである。通信機器４１は、例えば、ＬＴＥ（Long Term Evolution）、４Ｇ（4th Generation）、５Ｇ（5th Generation）等の通信規格に対応する移動通信モジュールである。
【００４８】
処理装置４２は、携帯端末４における各種制御処理を行う。処理装置４２は、例えば、ＣＰＵ、ＲＡＭ、ＲＯＭ、補助記憶装置、Ｉ／Ｏ等を含むコンピュータを中心に構成される。処理装置４２は、例えば、ＲＯＭや補助記憶装置に格納される一以上のプログラムをＣＰＵ上で実行することにより実現される機能部として、通信処理部４２１と、表示処理部４２２と、移動手段特定部４２３と、情報提供部４２４を含む。また、処理装置４２は、例えば、ＲＯＭや補助記憶装置に規定される記憶領域としての記憶部４２０を含む。記憶部４２０には、地図情報ＤＢ（Data Base）４２０Ａが含まれる。
【００４９】
尚、地図情報ＤＢ４２０Ａは、適宜、センタサーバ５から配信される地図情報により更新される。即ち、地図情報ＤＢ４２０Ａには、後述するセンタサーバ５の地図情報ＤＢ５２００Ａと同じ情報が格納される。
【００５０】
通信処理部４２１は、通信機器４１を制御し、センタサーバ５との間での各種信号の送受信を行う。
【００５１】
表示処理部４２２は、ディスプレイ４５に各種画像を表示させる。例えば、表示処理部４２２は、後述の如く、情報提供部４２４からの要求に応じて、後述する合成地図画像をディスプレイ４５に表示させる。
【００５２】
移動手段特定部４２３は、任意の方法を用いて、携帯端末４を所持するユーザが予め規定される複数の移動手段のうちのどの移動手段で移動中であるかを特定する。例えば、移動手段特定部４２３は、徒歩、自転車、電車、バス、車両（バスを除く）のうちの何れの移動手段で移動しているかを特定する。例えば、移動手段特定部４２３は、加速度センサ４４から入力される加速度情報に基づき、それぞれの移動手段で移動している場合とそれ以外の移動手段で移動している場合とを識別可能に予め機械学習された複数の識別器を適用することにより、当該特定を行ってよい。また、例えば、移動手段特定部４２３は、加速度センサ４４から入力される加速度情報に加えて、或いは、代えて、ＧＰＳモジュール４３から入力される携帯端末４の位置情報に基づき、当該特定を行ってもよい。
【００５３】
尚、移動手段特定部４２３の機能は、センタサーバ５側に設けられてもよい。この場合、センタサーバ５は、例えば、後述する合成画像要求等により、それぞれの携帯端末４から位置情報を取得し、それぞれの携帯端末４の移動手段を特定してよい。また、センタサーバ５は、更に、それぞれの携帯端末４から加速度情報を取得し、それぞれの携帯端末４の移動手段を特定してもよい。
【００５４】
情報提供部４２４は、ユーザによる所定操作に応じて、表示処理部４２２を介して、ディスプレイ４５にセンタサーバ５から配信される、地図画像と、地図画像上に重畳して配置される追加情報を含む合成地図画像を表示させる。具体的には、情報提供部４２４は、実在の位置における事象・状況に関する情報（事象・状況情報）と、同じ位置に関する感情情報を総括する情報（感情総括情報）とを地図画像上の対応する位置に重畳して表示させる。これにより、ユーザは、ある位置の事象・状況を、その事象・状況に対する人の感情を示す感情総括情報と共に、把握することができる。そのため、例えば、ユーザは、ある位置の事象や状況がポジティブ感情に繋がり得るのかどうかを判断することができ、今後の行動選択に利用することができる。合成地図画像の詳細は、後述する。
【００５５】
情報提供部４２４は、例えば、ユーザによる所定操作に応じて、携帯端末４（処理装置４２）にインストールされた所定のアプリケーションプログラム（以下、「情報提供アプリ」と称する）が起動されることにより、その機能が利用可能な状態になる。情報提供部４２４は、情報提供アプリの起動に応じて、通信処理部４２１を介して、合成地図画像を要求するリクエスト信号（合成地図画像要求）を送信する。これにより、情報提供部４２４は、通信処理部４２１によりセンタサーバ５から受信される合成地図画像をディスプレイ４５に表示させることができる。合成地図画像要求には、ＧＰＳモジュール４３から入力される携帯端末４の位置情報が含まれる。また、合成地図画像要求には、ユーザによる所定操作、或いは、ユーザによる過去の情報提供アプリにおける操作履歴等により設定される、ベースとなる地図画像のエリアの設定情報（エリア設定情報）が含まれてよい。また、合成地図画像要求には、ユーザによる所定操作、或いは、ユーザによる過去の情報提供アプリにおける操作履歴等により設定される、ベースとなる地図画像の縮尺に関する設定情報、例えば、ベースの地図画像として、所定の縮尺より大きい広域図及び所定の縮尺以下の詳細図をデフォルトで表示させるかについての設定情報が含まれてよい。また、合成地図画像要求には、携帯端末４のユーザの現在の移動手段に関する情報（移動手段情報）、即ち、移動手段特定部４２３による特定結果に関する情報が含まれてよい。また、合成地図画像要求には、例えば、ユーザによる所定操作により入力される、或いは、ユーザのスケジュール情報に基づき推測される目的地に関する情報（目的地情報）が含まれてよい。この場合、情報提供部４２４は、携帯端末４（処理装置４２）にインストールされるスケジュール管理用のアプリケーションプログラム（以下、「スケジュール管理アプリ」と称する）と連携し、ユーザのスケジュール情報を取得する。そして、情報提供部４２４は、スケジュール情報のユーザの次のスケジュールの場所を目的地情報として、合成地図画像要求に含めてよい。また、合成地図画像要求には、スケジュール管理アプリから取得されるユーザのスケジュール情報のそのものが含まれてもよい。
【００５６】
尚、情報提供部４２４は、携帯端末４の移動等に伴い、適宜、通信処理部４２１を介して、センタサーバ５に合成地図画像要求を送信することにより、情報提供アプリの起動後の合成地図画像の更新を行う。
【００５７】
センタサーバ５（情報提供装置の一例）は、それぞれの車両３から各種センシング情報を含むプローブ情報を収集する。また、センタサーバ５は、ウェブ上において、人が抱く感情に関する情報（感情情報）を収集する。そして、センタサーバ５は、センシング情報から判断される、ある位置の事象或いは状況に関する情報と、感情情報から判断される、同じ位置に関する感情総括情報とを含む合成地図画像を生成し、携帯端末４に配信する。図４に示すように、センタサーバ５は、通信機器５１と、処理装置５２を含む。
【００５８】
尚、センタサーバ５の機能は、複数のサーバにより実現されてもよい。
【００５９】
通信機器５１は、処理装置５２による制御の下、所定の通信ネットワークＮＷ１，ＮＷ２を通じて、それぞれの車両３及びそれぞれの携帯端末４と双方向で通信を行うデバイスである。
【００６０】
処理装置５２は、センタサーバ５における各種制御処理を実行する。処理装置５２は、例えば、ＣＰＵ、ＲＡＭ、ＲＯＭ、補助記憶装置、Ｉ／Ｏ等を含む一又は複数のサーバコンピュータを中心に構成される。処理装置５２は、ＲＯＭや補助記憶装置に格納される一以上のプログラムをＣＰＵ上で実行することにより実現される機能部として、通信処理部５２０１と、プローブ情報蓄積処理部５２０２と、ＳＮＳクローラ部５２０３と、センシング情報分析部５２０４と、ＳＮＳ情報分析部５２０５と、紐付け部５２０６と、ユーザ関連情報取得部５２０７と、経由地推奨部５２０８と、情報配信部５２０９を含む。また、処理装置５２は、例えば、サーバコンピュータの補助記憶装置やサーバコンピュータに接続される外部記憶装置に規定される記憶領域としての記憶部５２００を含む。記憶部５２００には、地図情報ＤＢ５２００Ａと、プローブ情報ＤＢ５２００Ｂと、ＳＮＳ情報ＤＢ５２００Ｃと、事象・状況情報ＤＢ５２００Ｄと、感情総括情報ＤＢ５２００Ｅと、紐付け情報ＤＢ５２００Ｆと、嗜好特性情報ＤＢ５２００Ｇと、ＰＯＩ（Point Of Interest）情報ＤＢ５２００Ｈが格納される。
【００６１】
通信処理部５２０１は、通信機器５１を制御し、複数の車両３及び複数の携帯端末４のそれぞれとの間での各種信号（制御信号、情報信号等）の送受信を行う。
【００６２】
プローブ情報蓄積処理部５２０２（センシング情報収集部の一例）は、それぞれの車両３により任意の位置で取得されたセンシング情報（本実施形態では、撮像画像）を、それぞれの車両３から収集する。具体的には、プローブ情報蓄積処理部５２０２は、通信処理部５２０１によりそれぞれの車両３から受信されるプローブ情報を、車両３ごとに、プローブ情報ＤＢ５２００Ｂに蓄積させる処理を行う。即ち、プローブ情報ＤＢ５２００Ｂに保存されるプローブ情報は、対応する車両３の識別情報、例えば、ＶＩＮ（Vehicle Index Number）や一意的に規定される車両ＩＤ（Identifier）等と対応付けられて、時系列的に記憶される。
【００６３】
ＳＮＳクローラ部５２０３（感情情報収集部の一例）は、既知のアルゴリズムに基づき、定期的に、例えば、３０分毎に、前回の処理以降で、所定のＳＮＳ上に投稿されたＳＮＳ投稿情報（感情情報の一例）と、その投稿された位置情報（投稿位置情報）及び時刻情報（投稿時刻情報）を収集（ダウンロード）する。換言すれば、ＳＮＳクローラ部５２０３は、任意の位置に関する、人の感情情報としてのＳＮＳ投稿情報を収集する。ＳＮＳクローラ部５２０３は、収集したＳＮＳ投稿情報及び対応する投稿位置情報及び投稿時刻情報を紐付けて、ＳＮＳ情報ＤＢ５２００Ｃに保存する。
【００６４】
尚、ＳＮＳクローラ部５２０３は、ＳＮＳ投稿情報に対応する投稿位置情報が公開されていない場合、ＳＮＳ投稿情報及び投稿時刻情報だけを紐付けて保存する。
【００６５】
センシング情報分析部５２０４は、所定時間ごと（例えば、３０分ごと）に、直近の所定時間（例えば、３０分）でそれぞれの車両３により取得されたプローブ情報に含まれるセンシング情報に基づき、センシング情報の取得位置における事象や取得位置における事象の状況等を特定する。本実施形態では、センシング情報分析部５２０４は、センシング情報としての車両３の周辺の撮像画像に基づき、撮像画像の取得位置の事象や状況等を特定（抽出）する。センシング情報分析部５２０４は、人工知能（ＡＩ：Artificial Intelligence）、特に、深層学習等の機械学習に関する既知の技術を適用することにより、画像認識処理を行い、撮像画像の取得位置及び取得時刻における事象や状況を抽出することができる。センシング情報分析部５２０４による判断対象の事象（以下、対象事象）は、一時的に（突発的に）生じうる事象（例えば、行列の発生、渋滞の発生、桜の開花、店舗の開店等）であってもよいし、その位置にある定常的な事象（例えば、ある時間貸し駐車場の看板に表示される料金等）であってもよい。また、センシング情報分析部５２０４による判断対象の状況は、一時的に生じうる事象の状況であってもよいし、その位置における定常的な事象の状況（例えば、あるガソリンスタンド店頭価格の状況等）であってもよい。また、センシング情報分析部５２０４は、撮像画像に基づき，対象事象として、任意の事象及び任意の状況を抽出してもよいし、予め規定される一又は複数の対象事象の有無や、予め規定される一又は複数の対象状況を抽出してもよい。対象事象には、例えば、店頭の行列の発生、所定のエリアにおける混雑（渋滞）の発生、一時的なイベントの開催、桜の開花、広葉樹の色付き等が含まれうる。また、対象状況には、行列の状況（発生状況や発生した行列の変動状況等）、所定のエリアの混雑状況（発生状況や発生した混雑の変動状況）、イベントの状況（開催状況や開催中のイベントの繁閑状況等）、桜の開花状況（桜の開花の有無や何分咲きか等の状況）、広葉樹の色付き状況（紅葉状況）、ガソリンスタンドの店頭価格表示の状況、時間貸し駐車場の満車・空車の状況、ある場所におけるタクシーの捕まえやすさの状況（空車のタクシーの出現の状況）等が含まれうる。
【００６６】
例えば、図５（ａ）〜（ｃ）は、車両３のカメラ３４により撮像された撮像画像の一例、他の例、及び更に他の例を示す図である。
【００６７】
図５（ａ）に示すように、本例に係る撮像画像には、店舗の前に行列する多数の人が含まれている。そのため、センシング情報分析部５２０４は、当該撮像画像に対する画像認識処理により、当該撮像画像の取得位置における行列の発生及び行列の状況を判断することができる。
【００６８】
また、図５（ｂ）に示すように、本例に係る撮像画像には、路上（路側）に設けられる路上パーキングが含まれている。そのため、センシング情報分析部５２０４は、当該撮像画像に対する画像認識処理により、当該撮像画像の取得位置の近傍に設置されている路上パーキングメータの満車・空車の状況を判断することができる。
【００６９】
また、図５（ｃ）に示すように、本例に係る撮像画像には、時間貸し駐車場の料金が表示される看板が含まれている。そのため、センシング情報分析部５２０４は、当該撮像画像に対する画像認識処理により、当該撮像画像の取得位置の近傍に設置されている時間貸し駐車場で設定されている料金を具体的に判断することができる。
【００７０】
図４に戻り、センシング情報分析部５２０４は、抽出した撮像画像の取得位置における事象や状況等を抽出元の撮像画像の位置情報と紐付けて、事象・状況情報ＤＢ５２００Ｄに保存する。
【００７１】
ＳＮＳ情報分析部５２０５（感情情報分析部の一例）は、所定時間ごと（例えば、３０分ごと）に、ＳＮＳ情報ＤＢ５２００Ｃに保存される、直近の所定時間（例えば、３０分）で投稿されたＳＮＳ投稿情報に基づき、ある位置に関する人の感情を総括する感情総括情報を生成する。このとき、ＳＮＳ情報分析部５２０５は、センシング情報分析部５２０４による処理と同期して当該処理を行う。これにより、センシング情報分析部５２０４による事象・状況情報と、ＳＮＳ情報分析部５２０５による感情総括情報とを時系列的に同期させることができる。換言すれば、ＳＮＳ情報分析部５２０５は、事象・状況情報に示される事象及び状況に対する適切な感情総括情報を生成することができる。具体的には、ＳＮＳ情報分析部５２０５は、同じ（共通の）位置、具体的には、同じ位置範囲に関する複数のＳＮＳ投稿情報により示される人の感情を総括する感情総括情報を生成する。感情総括情報には、例えば、ポジティブ感情とネガティブ感情のどちらが支配的であるか等の人の感情の傾向に関する情報（感情傾向情報）、感情の大きさに関する情報等が含まれる。ポジティブ感情には、例えば、喜び、楽しみ、安堵等が含まれ、ネガティブ感情には、悲しみ、怒り等が含まれうる。また、感情傾向情報には、ある位置に関するＳＮＳ投稿情報の中のポジティブ感情に属するＳＮＳ投稿情報とネガティブ感情に属するＳＮＳ投稿情報のどちらの数が多いか等の情報が含まれうる。また、感情の大きさに関する情報は、例えば、ポジティブ感情及びネガティブ感情のうちの対象となる位置範囲の感情傾向に対応する一方に関するＳＮＳ投稿情報の総数等により表現されてよい。
【００７２】
尚、上述の「位置範囲」は、例えば、住所における番地のレベルを示す範囲であってもよいし、住所における町名のレベルを示す範囲であってもよいし、更に広い範囲であってもよい。
【００７３】
例えば、ＳＮＳ情報分析部５２０５は、投稿位置情報が公開されるＳＮＳ投稿情報、即ち、ＳＮＳ情報ＤＢ５２００Ｃに投稿位置情報と紐付く態様で保存されるＳＮＳ投稿情報を抽出する。また、ＳＮＳ情報分析部５２０５は、投稿位置情報が公開されていないＳＮＳ投稿情報、即ち、ＳＮＳ情報ＤＢ５２００Ｃに投稿位置情報と紐付かない態様で保存されるＳＮＳ投稿情報について、その内容が、ある位置に投稿ユーザが存在していたことを意味しているか否かを分析してもよい。具体的には、ＳＮＳ情報分析部５２０５は、上述の画像認識処理と同様、深層学習等の機械学習に関する既知の技術を適用することにより、文章認識処理を行い、位置に関する記載の有無や当該位置にユーザが存在していたのか否かの判断等を行うことができる。そして、ＳＮＳ情報分析部５２０５は、その内容がある位置にユーザが存在していたと判断できる場合、当該ＳＮＳ投稿情報を任意の位置に関するＳＮＳ投稿情報として抽出してよい。
【００７４】
また、ＳＮＳ情報分析部５２０５は、抽出した任意の位置に関するＳＮＳ投稿情報を、同じ位置、具体的には、同じ位置範囲に関するＳＮＳ投稿情報ごとのグループ（ＳＮＳ投稿群）に仕分ける。そして、ＳＮＳ情報分析部５２０５は、比較的多くの（具体的には、所定数以上の）ＳＮＳ投稿情報を含むＳＮＳ投稿群を抽出し、抽出したＳＮＳ投稿群ごとに、含まれるそれぞれのＳＮＳ投稿情報がポジティブ感情に該当するか、ネガティブ感情に該当するかを判定すると共に、全体として、ポジティブ感情及びネガティブ感情の何れが支配的であるかを特定する。これにより、ＳＮＳ情報分析部５２０５は、ある位置に関する感情傾向情報や感情の大きさに関する情報を含む感情総括情報を生成することができる。
【００７５】
ＳＮＳ情報分析部５２０５は、生成した感情総括情報と、対応する位置情報（例えば、位置範囲を代表する位置情報等）と紐付けて、感情総括情報ＤＢ５２００Ｅに保存する。
【００７６】
紐付け部５２０６は、事象・状況情報ＤＢ５２００Ｄにおける最新の事象・状況情報、及び感情総括情報ＤＢ５２００Ｅにおける最新の感情総括情報の中から、同じ位置、具体的には、同じ位置範囲に対応する事象・状況情報と感情総括情報とを紐づける。また、紐付け部５２０６は、ＰＯＩ情報ＤＢ５２００Ｈに基づき、紐付け対象の事象・状況情報及び感情総括情報に関する位置に対応する店舗或いは施設等のＰＯＩ情報を特定する。紐付け部５２０６は、紐付けた事象・状況情報及び感情総括情報を特定する情報（紐付け対象特定情報）と、紐付けた事象・状況情報及び感情総括情報に関する位置に対応するＰＯＩ情報（特定ＰＯＩ情報）を含む紐付け情報を、紐付け情報ＤＢ５２００Ｆに保存する。紐付け対象特定情報には、例えば、事象・状況情報ＤＢ５２００Ｄにおける紐付け対象の事象・状況情報の一意的な識別情報と、感情総括情報ＤＢ５２００Ｅにおける紐付け対象の感情総括情報の一意的な識別情報が含まれる。
【００７７】
ユーザ関連情報取得部５２０７は、情報配信部５２０９による合成地図画像の配信先、即ち、通信処理部５２０１により受信される合成地図画像要求の送信元である携帯端末４のユーザに関連する情報（ユーザ関連情報）を取得する。
【００７８】
例えば、ユーザ関連情報取得部５２０７は、携帯端末４のユーザの現在地に関する位置情報（現在地情報）を取得する。具体的には、ユーザ関連情報取得部５２０７は、合成地図画像要求に含まれる携帯端末４のユーザの位置情報を抽出することにより、現在地情報を取得する。
【００７９】
また、例えば、ユーザ関連情報取得部５２０７（移動手段情報取得部の一例）は、携帯端末４のユーザの移動手段に関する情報（移動手段情報）を取得する。具体的には、ユーザ関連情報取得部５２０７は、合成地図画像要求からその中に含まれる対象の携帯端末４のユーザの移動手段情報を取得する。
【００８０】
また、例えば、ユーザ関連情報取得部５２０７（スケジュール情報取得部の一例）は、携帯端末４のユーザの今後のスケジュール情報を取得する。具体的には、ユーザ関連情報取得部５２０７は、合成地図画像要求にユーザのスケジュール情報が含まれる場合、合成地図画像要求からスケジュール情報を抽出し、スケジュール情報を取得してよい。
【００８１】
また、例えば、ユーザ関連情報取得部５２０７（特性情報取得部の一例）は、携帯端末４のユーザの興味・関心等の嗜好に関する特性情報（嗜好特性情報）を、嗜好特性情報ＤＢ５２００Ｇから取得する。
【００８２】
尚、嗜好特性情報は、携帯端末４のユーザによって、所定のウェブページ等を通じて設定入力されることにより、嗜好特性情報ＤＢ５２００Ｇに登録されてよい。また、嗜好特性情報は、それぞれの携帯端末４のユーザのインターネット経由での情報閲覧履歴（ネット情報閲覧履歴）、即ち、オンラインでの行動履歴に基づき、推測され、嗜好特性情報ＤＢ５２００Ｇに登録されてもよい。この場合、センタサーバ５は、例えば、センタサーバ５を含むアドネットワーク内の複数のウェブサーバから取得可能な携帯端末４の一意識別子と紐付けられたインターネット経由での情報閲覧履歴（ネット情報閲覧履歴）等に基づき、携帯端末４のユーザのオンライン行動履歴情報を取得できる。
【００８３】
また、例えば、ユーザ関連情報取得部５２０７は、携帯端末４のユーザが今後向かう目的地に関する情報（目的地情報）を取得する。具体的には、ユーザ関連情報取得部５２０７は、合成地図画像要求にユーザの目的地情報が含まれる場合、合成地図画像要求から目的地情報を取得してよい。また、ユーザ関連情報取得部５２０７は、合成地図画像要求にユーザのスケジュール情報が含まれる場合、ユーザのスケジュール情報に基づき、以後に向かう目的地を推定することにより、目的地情報を取得してもよい。また、ユーザ関連情報取得部５２０７は、携帯端末４のユーザの移動履歴に基づき、ユーザの目的地を推定してもよい。この場合、処理装置５２は、それぞれの携帯端末４から位置情報及び時刻情報を含む携帯端末４の移動履歴に関する情報（移動履歴情報）を収集し、記憶部５２００等に蓄積させる。これにより、ユーザ関連情報取得部５２０７は、携帯端末４のユーザの過去の行動傾向等を解析し、上述の画像認識処理と同様、深層学習等の機械学習に関する既知の技術を適用することにより、目的地を推定することができる。
【００８４】
経由地推奨部５２０８は、ユーザ関連情報取得部５２０７により目的地情報が取得された場合に、携帯端末４のユーザの現在地から目的地までの間で、携帯端末４のユーザに推奨する経由地を決定する。具体的には、経由地推奨部５２０８は、紐付け部５２０６により紐づけられた事象・状況情報及び感情総括情報に対応する位置の中から推奨する経由地を決定する。換言すれば、経由地推奨部５２０８は、後述する情報配信部５２０９が地図画像上に重畳して表示させる対象である、事象・状況情報及び感情総括情報に関する位置の中から推奨する経由地を決定する。
【００８５】
例えば、経由地推奨部５２０８は、紐付け情報ＤＢ５２００Ｆに保存される最新の紐付け情報の中から、現在地から目的地までの移動の経由地として立寄り可能な位置に対応する紐付け情報を抽出する。また、経由地推奨部５２０８は、嗜好特性情報ＤＢ５２００Ｇに基づき、取得した紐付け情報の中で、対象となる携帯端末４のユーザの嗜好特性に適合するジャンルの特定ＰＯＩ情報を含む紐付け情報を特定する。そして、経由地推奨部５２０８は、特定した紐付け情報の中から感情総括情報に含まれる感情傾向情報がポジティブ感情に関するものを更に特定し、特定される一又は複数の紐付け情報に対応する位置、具体的には、ＰＯＩの中から経由地を決定する。経由地推奨部５２０８は、例えば、特定された複数の紐付け情報に対応する位置の中から、最も目的地に近い位置（ＰＯＩ）を推奨する経由地としてもよいし、現在地から目的地までの最短経路から外れる距離が最も少ない位置を推奨する経由地としてもよい。
【００８６】
また、経由地推奨部５２０８は、ユーザ関連情報取得部５２０７によりスケジュール情報が取得された場合に、携帯端末４のユーザの現在地から当該スケジュール情報に基づく次のスケジュールに対応する目的地までの間で、次のスケジュールまでの空き時間に基づき、経由地を決定してもよい。例えば、経由地推奨部５２０８は、空き時間の長さに応じて、経由地として推奨する位置（ＰＯＩ）を決定してよい。具体的には、経由地推奨部５２０８は、感情総括情報に含まれる感情傾向情報がポジティブ感情に関するものとして特定した紐付け情報の中からユーザが空き時間の中で利用可能な特定ＰＯＩ情報を含む一又は複数の紐付け情報を更に特定し、特定される一又は複数の紐付け情報に対応する位置、具体的には、ＰＯＩの中から経由地を決定する。例えば、映画館の場合、映画の長さが通常２時間程度であるため、経由地推奨部５２０８は、空き時間が３時間以上あれば、映画館を特定ＰＯＩ情報として含む紐付け情報を特定してよい。
【００８７】
情報配信部５２０９（表示制御部の一例）は、通信処理部５２０１により受信される合成地図画像要求が受信された場合、所定のエリアのベースとなる地図画像上に、当該エリア内の任意の位置に関する最新の事象・状況情報及び感情総括情報と、当該位置に対応するＰＯＩ情報（具体的には、紐付け情報に含まれる特定ＰＯＩ情報）とを重畳させる合成地図画像を生成する。そして、情報配信部５２０９は、通信処理部５２０１を介して、合成地図画像要求の送信元である携帯端末４に生成した合成地図画像を配信する。これにより、情報配信部５２０９は、合成地図画像を携帯端末４のディスプレイ４５に表示させることができる。
【００８８】
情報配信部５２０９は、ユーザ関連情報取得部５２０７により取得される携帯端末４の現在地を含むエリアの合成地図画像を生成してよい。この場合、情報配信部５２０９は、携帯端末４の移動方向、即ち、前回の合成地図画像要求と今回の合成地図画像要求に含まれる携帯端末４の位置情報の差分に関する情報に応じて、携帯端末４の現在位置よりも移動方向寄りのエリアの合成地図画像を生成してもよい。これにより、ユーザは、携帯端末４のディスプレイ４５に表示される合成地図画像により、自分が移動する方向に存在するエリアに関する事象・状況情報及び感情総括情報を把握し易くなるため、ユーザの利便性が向上する。
【００８９】
また、情報配信部５２０９は、合成地図画像要求にエリア設定情報が含まれる場合、エリア設定情報で規定されるエリアの合成地図画像を生成してよい。これにより、ユーザの好みに合わせたエリアの合成地図画像を提供することができる。
【００９０】
また、情報配信部５２０９は、ユーザ関連情報取得部５２０７により取得される目的地情報に応じて、合成地図画像に含まれるエリアを異ならせてもよい。
【００９１】
例えば、情報配信部５２０９は、携帯端末４のユーザの現在地よりも目的地情報に基づく目的地寄りの位置を中心とするエリアの合成地図画像を生成する。また、例えば、情報配信部５２０９は、現在地と目的地の双方が含まれるエリアの合成地図画像を生成する。これにより、ユーザは、携帯端末４のディスプレイ４５に表示される合成地図画像により、自分が移動する目的地に近づく方向のエリアや目的地周辺のエリアに関する事象・状況情報及び感情総括情報を把握し易くなるため、ユーザの利便性が向上する。
【００９２】
また、例えば、情報配信部５２０９は、現在地と目的地との距離が比較的離れている場合（具体的には、所定閾値より離れている場合）、目的地だけを含むエリアの合成地図画像を生成してもよい。これにより、現在地と目的地がある程度離れている場合、現在地と目的地の双方を含む地図画像の縮尺が小さくなり過ぎるところ、目的地を含むエリアだけに絞ることにより、適切な縮尺の合成地図画像をユーザに提供することができる。
【００９３】
また、例えば、情報配信部５２０９は、現在地を含むエリアの合成地図画像を生成する前提において、携帯端末４のユーザの現在地と目的地との間の距離に応じて、合成地図画像に含まれるエリアを異ならせる。具体的には、情報配信部５２０９は、現在地から目的地までの距離が離れるほど、合成地図画像に含まれる現在地を含むエリアを広くする、即ち、ベースとなる地図画像の縮尺を小さくしてよい。これにより、ユーザは、目的地までの移動距離が長い場合に、現在地を含む合成地図画像上で、自分が移動する目的地に近づく方向のエリアに関する事象・状況情報及び感情総括情報をより多く把握し得るため、ユーザの利便性が向上する。
【００９４】
また、情報配信部５２０９は、携帯端末４の現在位置を含むエリアの合成地図画像を生成する場合、合成地図画像に含まれるエリアの大きさを、ユーザ情報取得部により取得される移動手段情報、即ち、携帯端末４のユーザの移動手段に応じて、異ならせてもよい。具体的には、移動手段に依って、移動速度が異なり、想定されるユーザの移動範囲（移動可能距離）が変化するからである。例えば、情報配信部５２０９は、徒歩、自転車、バス、車両及び電車の順でユーザの移動手段が変更されるにつれて、即ち、移動手段の移動速度が高くなるにつれて、合成地図画像に含まれるエリアの大きさを大きくする、即ち、合成地図画像の縮尺を小さくする。これにより、ユーザの移動範囲に合わせて、事象・状況情報及び感情総括情報を提供することができる。
【００９５】
また、情報配信部５２０９は、初期画面として、携帯端末４の現在位置を含む比較的小さい縮尺の地図画像（広域地図画像）をベースとする合成地図画像を生成し、通信処理部５２０１を介して、携帯端末４に配信してもよい。そして、情報配信部５２０９は、ユーザにより広域地図画像を含む合成地図画像に含まれる一部のエリアを選択する操作（具体的には、ディスプレイ４５上で合成地図画像上の任意の位置をタッチする操作）が行われると、当該操作に対応する携帯端末４からの合成地図画像要求に応じて、選択されたエリアの比較的縮尺の大きい地図画像（詳細地図画像）をベースとする合成地図画像を生成し、通信処理部５２０１を介して、配信してもよい。これにより、ユーザは、自らの操作により表示させるエリアを選択することができるため、ユーザの利便性を向上させることができる。また、この場合、情報配信部５２０９は、広域地図画像をベースとする合成地図画像に、事象・状況情報及び感情総括情報のそれぞれの要約情報を表示させてよい。具体的には、情報配信部５２０９は、事象状況情報及び感情総括情報を表示させる位置（ＰＯＩ）の数を絞って、合成地図画像を生成する。これにより、広域地図画像をベースとする合成地図画像に含まれる事象状況情報及び感情総括情報が煩雑となり、反って、ユーザの利便性を損なうことを抑制できる。例えば、情報配信部５２０９は、ユーザ関連情報取得部５２０７により取得される嗜好特性情報に基づき、合成地図画像に含まれる事象状況情報及び感情総括情報を決定してよい。即ち、情報配信部５２０９は、合成地図画像要求の送信元である携帯端末４のユーザに対応する嗜好特性情報に含まれる嗜好ジャンルと同じ嗜好ジャンルに関連するＰＯＩの事象・状況情報及び感情総括情報を含む合成地図画像を生成してよい。これにより、ユーザの嗜好特性に合わせて、具体的に、事象状況情報及び感情総括情報を表示させる位置の数を絞った合成地図画像を生成することができる。
【００９６】
また、情報配信部５２０９は、経由地推奨部５２０８により推奨される経由地に関する情報（経由地情報）を更に地図画像上に重畳させた合成地図画像を生成してもよい。例えば、情報配信部５２０９は、地図画像上に重畳させる事象・状況情報及び感情総括情報に対応するＰＯＩ情報のうち、経由地推奨部５２０８により推奨された経由地に対応するＰＯＩ情報に対して、推奨経由地である旨の情報（例えば、ＰＯＩ情報を点滅させる等）を合成地図画像に追加する。これにより、ユーザは、現在地から目的地までの間で、ユーザの嗜好性やスケジュール情報に基づく空き時間等を考慮した立寄り可能な推奨経由地の情報提供を受けることができるため、ユーザの利便性が向上する。
【００９７】
［合成地図画像の詳細］
次に、図６を参照して、センタサーバ５から携帯端末４に配信され、携帯端末４のディスプレイ４５に表示される合成地図画像の詳細について説明する。
【００９８】
図６は、合成地図画像の一例（合成地図画像６００）を示す図である。
【００９９】
図６に示すように、合成地図画像６００は、ベースとなる地図画像のエリア内の所定の位置範囲Ｐ１〜Ｐ１２のそれぞれに対応する、事象・状況情報の一例としてのコメントＣ１〜Ｃ１２、感情総括情報の一例としての感情マークＥ１〜Ｅ１２を含む。これにより、具体的に、携帯端末４のユーザに対して、ある位置（位置範囲Ｐ１〜Ｐ１２）に関する事象・状況情報及び感情総括情報を提供することができる。
【０１００】
感情マークＥ１〜Ｅ１２は、それぞれ、人の顔の表情を模式的に示す顔アイコンである。
【０１０１】
感情マークＥ１〜Ｅ１２には、感情傾向情報に係るポジティブ感情に対応する笑顔のアイコン（例えば、感情マークＥ２〜Ｅ１０，Ｅ１２）と、感情傾向情報に係るネガティブ感情に対応する怒った顔のアイコン（例えば、感情マークＥ１，Ｅ１２）が含まれる。
【０１０２】
また、それぞれの位置範囲Ｐ１〜Ｐ１２に対応する感情マークＥ１〜Ｅ１２の数が異なる。例えば、感情マークＥ１〜Ｅ１２のそれぞれの数は、感情総括情報に含まれる感情の大きさに関する情報（具体的には、上述の如く、ポジティブ感情或いはネガティブ感情に対応するＳＮＳ投稿情報の総数等）に対応する態様であってよい。即ち、感情マークＥ１〜Ｅ１２の数が多い程、その位置に関して、多くの人が顔アイコンに対応するポジティブ感情或いはネガティブ感情を抱いていることが表される。
【０１０３】
尚、本例では、感情総括情報、具体的には、感情傾向情報及び感情の大きさに関する情報が感情マークＥ１〜Ｅ１２で表されるが、他の方法、例えば、所謂ヒートマップの形式で表されてもよい。この場合、感情傾向情報におけるポジティブ感情とネガティブ感情の別を色の違いにより表現し、感情の大きさに関する情報を色の濃淡で表す等により対応可能である。
【０１０４】
また、合成地図画像６００は、位置範囲Ｐ２〜Ｐ１０，Ｐ１２のそれぞれに対応する、補助的な情報として、対象となる位置範囲の事象或いは状況やＰＯＩ（店舗、施設等）に関するアイコンＩ２〜Ｉ１０，Ｉ１２を含む。これにより、ユーザは、事象・状況情報に対応するその位置における事象或いは状況や対応するその位置のＰＯＩを一見して容易に把握できる。
【０１０５】
尚、本例では、事象・状況情報及び感情総括情報として、地図画像上に、コメントＣ１〜Ｃ１２と、感情マークＥ１〜Ｅ１２を重畳して表示させるが、ユーザの操作に応じて、事象及び状況や感情に関する他の情報を更に提供可能な態様が採用されてもよい。例えば、ディスプレイ４５の位置範囲Ｐ１〜Ｐ１２付近をタッチ操作すると、位置範囲Ｐ１〜Ｐ１２の事象や状況に対応する撮像画像、つまり、車両３による撮像画像が合成地図画像に重畳して表示される態様であってもよい。これにより、ユーザは、位置範囲Ｐ１〜Ｐ１２の具体的な様子を把握することができる。また、例えば、ディスプレイ４５の位置範囲Ｐ１〜Ｐ１２付近をタッチ操作すると、位置範囲Ｐ１〜Ｐ１２のＰＯＩに関する情報、例えば、詳細情報や広告情報等が合成地図画像に重畳して表示される態様であってもよい。これにより、ユーザは、表示されている事象・状況情報及び感情総括情報に対応するＰＯＩに関する情報を容易に把握することができる。
【０１０６】
以下、位置範囲Ｐ１〜Ｐ１２ごとに、コメントＣ１〜Ｃ１２、感情マークＥ１〜Ｅ１２、及びアイコンＩ２〜Ｉ１０，Ｉ１２の具体的な内容を説明する。
【０１０７】
まず、合成地図画像６００の右上端部の位置範囲Ｐ１、具体的には、ある駅周辺の位置範囲Ｐ１について説明する。
【０１０８】
地図画像上における位置範囲Ｐ１の近傍位置には、位置範囲Ｐ１に対応するコメント
Ｃ１、及び感情マークＥ１が表示される。
【０１０９】
コメントＣ１には、位置範囲Ｐ１に対応する駅の改札付近が混雑している、つまり、当該駅で乗車可能な電車が混雑している旨の当該位置範囲Ｐ１に関する事象の文字情報が含まれる。また、コメントＣ１には、後述する位置範囲Ｐ２に移動すれば、タクシーが拾える旨の、位置範囲Ｐ１の事象に関連する他の位置の事象の文字情報が含まれる。このように、ある位置に関する事象の情報だけでなく、当該位置の事象に関する他の位置の事象の情報をユーザに提供することにより、ユーザは、別の位置に関する事象の情報を考慮して、行動選択ができるため、ユーザの利便性が向上する。
【０１１０】
感情マークＥ１は、ネガティブ感情に対応する怒った顔のアイコンである。これにより、ユーザは、当該位置範囲Ｐ１周辺の人々にとって、当該位置範囲Ｐ１の事象、つまり、駅の混雑に対するネガティブ感情（例えば、怒りや悲しみ等）が支配的であることを把握できる。
【０１１１】
また、感情マークＥ１は、位置範囲Ｐ１に対応して５つ表示されている。これにより、ユーザは、ネガティブ感情の大きさが非常に大きい、つまり、非常に多くの人が駅の混雑に対してネガティブ感情を抱いていることを把握できる。
【０１１２】
尚、位置範囲Ｐ１について、駅はベースとなる地図画像に明示的に表示され、且つ、混雑している旨はコメントＣ１の内容で把握可能であるため、事象及び状況やＰＯＩに関するアイコンは示されないが、駅のアイコンや混雑を示すアイコンが表示されてもよい。後述する位置範囲Ｐ７、Ｐ１１についても同様である。
【０１１３】
続いて、合成地図画像６００の右下端部の位置範囲Ｐ２、具体的には、ある通り沿いの路側位置周辺の位置範囲Ｐ２について説明する。
【０１１４】
地図画像上における位置範囲Ｐ２の近傍位置には、位置範囲Ｐ２に対応するコメント
Ｃ２及び感情マークＥ２が表示される。
【０１１５】
コメントＣ２には、タクシーの空車が多い旨の当該位置範囲Ｐ２に関する状況（タクシーの空車・満車状況）の文字情報が含まれる。これにより、ユーザは、当該位置範囲Ｐ２に行けば、タクシーが拾いやすい旨を把握できる。
【０１１６】
感情マークＥ２は、ポジティブ感情に対応する笑顔のアイコンである。これにより、ユーザは、当該位置範囲Ｐ２周辺の人々にとって、当該位置範囲Ｐ２の事象、つまり、タクシーの空車が多いことに対するポジティブ感情（例えば、安堵等）が支配的であることを把握できる。
【０１１７】
また、感情マークＥ２は、位置範囲Ｐ２に対応して２つ表示されている。これにより、ユーザは、ある程度の人がタクシーの空車が多いことに対してポジティブな感情を抱いていることを把握できる。
【０１１８】
また、地図画像上における位置範囲Ｐ２の近傍位置には、当該位置範囲Ｐ２の状況、つまり、タクシーの空車・満車状況に対応するタクシーを模式的に示すアイコンＩ２が表示される。これにより、ユーザは、当該位置範囲Ｐ２に表示される事象・状況情報（コメントＣ２）がタクシーに関する情報であることを一見して把握できる。
【０１１９】
続いて、合成地図画像６００の位置範囲Ｐ２の下方に隣接する位置範囲Ｐ３、具体的には、ある通り沿いのガソリンスタンド周辺の位置範囲Ｐ３について説明する。
【０１２０】
地図画像上における位置範囲Ｐ３の近傍位置には、位置範囲Ｐ３に対応するコメントＣ３及び感情マークＥ３が表示される。
【０１２１】
コメントＣ３には、位置範囲Ｐ３に対応するガソリンスタンドの店頭表示価格が１リットル当たり１３６円である旨の当該位置範囲Ｐ３に関する事象及び状況（店頭表示価格の変化状況等）の文字情報が含まれる。
【０１２２】
感情マークＥ３は、ポジティブ感情に対応する笑顔のアイコンである。これにより、ユーザは、当該位置範囲Ｐ３周辺の人々にとって、当該位置範囲Ｐ３の事象或いは状況、つまり、ガソリンスタンドの店頭表示価格に対するポジティブな感情（例えば、近辺のガソリンスタンドより安くてうれしい、或いは、同じガソリンスタンドの以前の価格より安くてうれしい等）が支配的であることを把握できる。つまり、ユーザは、コメントＣ３の文字情報に加えて、感情マークＥ３を確認することで、当該ガソリンスタンドの店頭表示価格が相対的に安いことを把握できる。つまり、ガソリンスタンドの店頭表示価格は、それ自体だけでは、ポジティブ感情に繋がる情報なのか、ネガティブ感情に繋がる情報なのか判断がつきにくいところ、感情総括情報（感情マークＥ３）を併せて表示させることで、ユーザによる事象或いは状況の把握をサポートすることができる。
【０１２３】
また、感情マークＥ３は、位置範囲Ｐ３に対応して１つ表示されている。これにより、ユーザは、それなりの人々がガソリンスタンドの店頭表示価格に対してポジティブ感情を抱いていることを把握できる。
【０１２４】
また、地図画像上における位置範囲Ｐ３の近傍位置には、当該位置範囲Ｐ３のＰＯＩ、つまり、ガソリンスタンドを示すアイコンが示される。これにより、ユーザは、コメントＣ３及び感情マークＥ３に対応する位置のＰＯＩがガソリンスタンドであると一見して把握できる。
【０１２５】
続いて、合成地図画像６００の左右中央の上端部の位置範囲Ｐ４について説明する。
【０１２６】
地図画像上における位置範囲Ｐ４の近傍位置には、位置範囲Ｐ４に対応するコメントＣ４及び感情マークＥ４が表示される。
【０１２７】
コメントＣ４には、虹が見えている旨の位置範囲Ｐ４に関する事象の文字情報が含まれる。これにより、ユーザは、位置範囲Ｐ４周辺に行けば、虹を見ることができる旨を把握できる。
【０１２８】
感情マークＥ４は、ポジティブ感情に対応する笑顔のアイコンである。これにより、ユーザは、当該位置範囲Ｐ４周辺の人々にとって、当該位置範囲Ｐ４の事象、つまり、虹の発生に対するポジティブ感情（例えば、きれい、美しい等）が支配的であることを把握できる。また、ユーザは、感情マークＥ４（感情総括情報）を通じて、その位置の事象の具体的な状況、つまり、間接的に、虹が比較的きれいに、或いは、明確に見えていること等も把握できる。
【０１２９】
また、感情マークＥ４は、位置範囲Ｐ４に対応して３つ表示されている。これにより、ユーザは、比較的多くの人が虹を見てポジティブ感情を抱いていることを把握できる。
【０１３０】
また、地図画像上における位置範囲Ｐ４の近傍には、当該位置範囲Ｐ４の事象、つまり、発生した虹を模式的に示すアイコンＩ４が表示される。これにより、ユーザは、当該位置範囲Ｐ４に表示される事象・状況情報（コメントＣ４）が虹に関する情報であることを一見して把握できる。
【０１３１】
続いて、合成地図画像６００の位置範囲Ｐ４の右斜め下に隣接する位置範囲Ｐ５、具体的には、路地裏（建物の密集地域）のある店舗周辺の位置範囲Ｐ５について説明する。
【０１３２】
地図画像上における位置範囲Ｐ５の近傍位置には、位置範囲Ｐ５に対応するコメントＣ５及び感情マークＥ５が表示される。
【０１３３】
コメントＣ５には、店舗前に２０人の行列が発生している旨の位置範囲Ｐ５に関する事象及び当該事象の状況の文字情報が含まれる。
【０１３４】
感情マークＥ５は、ポジティブ感情に対応する笑顔のアイコンである。これにより、ユーザは、当該位置範囲Ｐ５周辺の人々（典型的には、行列に並んでいる人々）にとって、当該位置範囲Ｐ５の事象及びその状況、つまり、行列及びその状況に対するポジティブ感情（例えば、順番が回ってくる或いは開店するのが楽しみ等）が支配的であることを把握できる。つまり、行列の発生やその状況等の事象・状況情報だけでは、どのような行例なのか、その状況がいいことなのか等をユーザが把握しにくいところ、ユーザに感情情報を併せて提供することにより、ユーザは、その行列が人々にとってポジティブ感情に繋がっていることを把握できる。
【０１３５】
また、感情マークＥ５は、位置範囲Ｐ５に対応して２つ表示されている。これにより、ユーザは、ある程度の人々が行列に対してポジティブ感情を抱いていることを把握できる。
【０１３６】
また、地図画像上における位置範囲Ｐ５の近傍位置には、当該位置範囲Ｐ５の事象、つまり、発生した行列を模式的に示すアイコンＩ５が表示される。これにより、ユーザは、当該位置範囲Ｐ５に表示される事象・状況情報（コメントＣ５）が行列に関する情報であることを一見して把握できる。
【０１３７】
続いて、合成地図画像６００の位置範囲Ｐ５の右斜め下に隣接する位置範囲Ｐ６、具体的には、路地裏の位置範囲Ｐ６について説明する。
【０１３８】
地図画像上における位置範囲Ｐ６の近傍位置には、位置範囲Ｐ６に対応するコメントＣ６及び感情マークＥ６が表示される。
【０１３９】
コメントＣ６には、祭りが開催中である旨の当該位置範囲Ｐ６に関する事象の文字情報が含まれる。
【０１４０】
感情マークＥ６は、ポジティブ感情に対応する笑顔のアイコンである。これにより、ユーザは、当該位置範囲Ｐ６周辺の人々にとって、当該位置範囲Ｐ６の事象、つまり、祭りの開催に対するポジティブ感情が支配的であることを把握できる。
【０１４１】
また、感情マークＥ６は、位置範囲Ｐ６に対応して３つ表示されている。これにより、ユーザは、比較的多くの人々が開催中の祭りに対してポジティブ感情を抱いていることを把握できる。
【０１４２】
また、地図画像上における位置範囲Ｐ６の近傍位置には、当該位置範囲Ｐ６の事象、つまり、開催中の祭りを模式的に示すアイコンＩ６が表示される。これにより、ユーザは、当該位置範囲Ｐ５に表示される事象・状況情報（コメントＣ６）が祭りに関する情報であることを一見して把握できる。
【０１４３】
続いて、合成地図画像６００の位置範囲Ｐ４の左斜め下に隣接する位置範囲Ｐ７について説明する。
【０１４４】
地図画像上における位置範囲Ｐ７の近傍位置には、位置範囲Ｐ７に対応するコメントＣ７及び感情マークＥ７が表示される。
【０１４５】
コメントＣ７には、花壇或いは花屋の花がきれいである旨の位置範囲Ｐ７に関する状況の文字情報が含まれる。
【０１４６】
感情マークＥ７は、ポジティブ感情に対応する笑顔のアイコンである。これにより、ユーザは、当該位置範囲Ｐ７周辺の人々にとって、当該位置範囲Ｐ７の状況、つまり、きれいな花に対するポジティブ感情が支配的であることを把握できる。
【０１４７】
また、感情マークＥ７は、位置範囲Ｐ７に対応して１つ表示されている。これにより、ユーザは、それなりの人々が花を見てポジティブ感情を抱いていることを把握できる。
【０１４８】
続いて、合成地図画像６００の位置範囲Ｐ７の下方に隣接する位置範囲Ｐ８、具体的には、美術ギャラリ周辺の位置範囲Ｐ８について説明する。
【０１４９】
地図画像における位置範囲Ｐ８の近傍位置には、位置範囲Ｐ８に対応するコメントＣ８及び感情マークＥ８が表示される。
【０１５０】
コメントＣ８には、当該美術ギャラリである展示が開催され、当該展示に２０００人の人が訪れたいとＳＮＳ上で発言している（つまり、多くの関心が集まっている）旨の位置範囲Ｐ８に関する事象及び状況の文字情報が含まれる。
【０１５１】
感情マークＥ８は、ポジティブ感情に対応する笑顔のアイコンである。これにより、ユーザは、当該位置範囲Ｐ８周辺の人々（典型的には、美術ギャラリを訪問した人々）にとって、当該位置範囲Ｐ８の事象、つまり、美術ギャラリの展示に対するポジティブな感情が支配的である、つまり、当該展示が好評である旨を把握できる。
【０１５２】
また、感情マークＥ８は、位置範囲Ｐ８に対応して２つ表示される。これにより、ユーザは、ある程度の人々が美術ギャラリの展示に対してポジティブ感情を抱いていることを把握できる。
【０１５３】
続いて、合成地図画像６００の位置範囲Ｐ８の下に隣接する位置範囲Ｐ９、具体的には、ある大通り沿いの近く開店予定の店舗（新規店舗）の周辺の位置範囲Ｐ９について説明する。
【０１５４】
地図画像上における位置範囲Ｐ９の近傍位置には、位置範囲Ｐ９に対応するコメントＣ９及び感情マークＥ９が表示される。
【０１５５】
コメントＣ９には、新しい店舗が開店する予定である旨の位置範囲Ｐ９に関する状況の文字情報が含まれる。
【０１５６】
感情マークＥ９は、ポジティブ感情に対応する笑顔のアイコンである。これにより、ユーザは、当該位置範囲Ｐ９周辺の人々にとって、当該位置範囲Ｐ９の状況、つまり、新たな店舗が開店する状況に対するポジティブ感情が支配的であること（例えば、新規店舗の開店を楽しみにしていること）を把握できる。
【０１５７】
また、感情マークＥ９は、位置範囲Ｐ９に対応して１つ表示される。これにより、ユーザは、それなりの人々が位置範囲Ｐ９の状況、つまり、新規店舗の開店を楽しみにしている旨を把握できる。
【０１５８】
また、地図画像上における位置範囲Ｐ９の近傍位置には、当該位置範囲Ｐ９の状況、つまり、新規店舗が開店予定である旨を模式的に示すアイコンＩ９が重畳して表示される。これにより、ユーザは、事象・状況情報（コメントＣ９）が開店予定の店舗等に関する情報である旨を一見して把握できる。
【０１５９】
続いて、合成地図画像６００の左上端部の位置範囲Ｐ１０、具体的には、ある駅前の路上パーキング周辺の位置範囲Ｐ１０について説明する。
【０１６０】
地図画像上における位置範囲Ｐ１０の近傍位置には、コメントＣ１０及び感情マークＥ１０が表示されている。
【０１６１】
コメント１０には、駅の改札前の路上パーキングに空車がある旨の位置範囲Ｐ１０に関する状況の文字情報が含まれる。
【０１６２】
感情マークＥ１０は、ポジティブ感情に対応する笑顔のアイコンである。これにより、ユーザは、当該位置範囲Ｐ１０周辺の人々にとって、当該位置範囲Ｐ１０の状況、つまり、路上パーキングに空車がある状況に対するポジティブ感情（例えば、空車があって助かった安堵等）が支配的である旨を把握できる。
【０１６３】
また、感情マークＥ１０は、位置範囲Ｐ１０に対応して１つ表示される。これにより、ユーザは、それなりの人々が位置範囲Ｐ１０の状況、つまり、路上パーキングの空車に安堵感等を抱いていることを把握できる。
【０１６４】
また、地図画像上における位置範囲Ｐ１０の近傍位置には、当該位置範囲Ｐ１０のＰＯＩ、つまり、路上パーキング等の駐車場を模式的に示すアイコンＩ１０が表示される。これにより、ユーザは、当該位置範囲Ｐ１０の事象・状況情報（コメントＣ１０）が路上パーキング等の駐車場に関する情報である旨を一見して把握できる。
【０１６５】
続いて、合成地図画像６００の位置範囲Ｐ１０の下に隣接する位置範囲Ｐ１１、具体的には、ある通り周辺の位置範囲Ｐ１１について説明する。
【０１６６】
地図画像上における位置範囲Ｐ１１の近傍位置には、位置範囲Ｐ１１に対応するコメントＣ１１及び感情マークＥ１１が表示される。
【０１６７】
コメント１１には、当該通りの見通しが悪い旨の当該位置範囲Ｐ１１に関する状況の文字情報が含まれる。これにより、ユーザは、当該通りの見通しが悪く、自分が通過する場合、気を付ける必要がある旨を把握できる。
【０１６８】
感情マークＥ１１は、ネガティブ感情に対応する怒った顔のアイコンである。これにより、ユーザは、当該位置範囲Ｐ１１周辺の人々にとって、当該位置範囲Ｐ１１の状況、つまり、通りの見通しが悪い状況に対するネガティブ感情（例えば、通るときに怖い等）が支配的である旨を把握できる。
【０１６９】
また、感情マークＥ１１は、位置範囲Ｐ１１に対応して１つ表示される。これにより、それなりの人々が当該位置範囲Ｐ１１の状況、つまり、通りの見通しが悪い状況に困っている旨を把握できる。
【０１７０】
続いて、合成地図画像６００の左下端部の位置範囲Ｐ１２、具体的には、広葉樹を含む森林エリアに相当する位置範囲Ｐ１２について説明する。
【０１７１】
地図画像上における位置範囲Ｐ１２の近傍位置には、当該位置範囲Ｐ１２に対応するコメントＣ１２及び感情マークＥ１２が表示される。
【０１７２】
コメントＣ１２には、森林エリアの紅葉が見頃である旨の位置範囲Ｐ１２に関する状況の文字情報が含まれる。
【０１７３】
感情マークＥ１２は、ポジティブ感情に対応する笑顔のアイコンである。これにより、ユーザは、当該位置範囲Ｐ１２周辺の人々にとって、当該位置範囲Ｐ１２の状況、つまり、広葉樹の色付き状況に対するポジティブな感情が支配的である旨、換言すれば、紅葉が見頃である旨を間接的に把握できる。
【０１７４】
また、感情マークＥ１２は、位置範囲Ｐ１２に対応して３つ表示される。これにより、ユーザは、比較的多くの人々が森林エリアの紅葉状況に対してポジティブ感情を抱いている旨を把握できる。
【０１７５】
また、地図画像上における位置範囲Ｐ１２の近傍位置には、当該位置範囲Ｐ１２の状況、つまり、広葉樹の色付き（典型的には、もみじ）を示す模式的なアイコンが表示される。これにより、ユーザは、当該位置範囲Ｐ１２の事象・状況情報（コメントＣ１２）が広葉樹（もみじ）の色付き状況、つまり、紅葉の状況に関する情報である旨を一見して把握できる。また、アイコンＩ１２は、ある程度の幅を有する森林エリア（位置範囲Ｐ１２）に亘って、複数（本例では、５つ）表示される。これにより、ユーザは、当該位置範囲Ｐ１２がある程度広い範囲に亘ることを一見して理解できる。
【０１７６】
本例では、事象・状況情報としてのコメントの他、アイコンによる感情総括情報、ＰＯＩに関する情報、及び事象・状況に関する情報が、併せて、地図画像上に重畳して表示される。よって、情報提供システム１は、ユーザによる地図画像に含まれるエリア内の事象及び状況の把握を更に促進させ、ユーザによる行動選択に寄与することができる。
【０１７７】
［作用］
このように、本実施形態では、プローブ情報蓄積処理部５２０２は、車両３により任意の位置で取得されたセンシング情報を、該車両３から収集する。そして、情報配信部５２０９は、携帯端末４のディスプレイ４５に地図画像を表示させると共に、車両３のセンシング情報、及び該センシング情報が車両３により取得された取得位置に関する感情情報（ＳＮＳ投稿情報）のそれぞれに含まれる情報を地図画像上の対応する位置に表示させる。
【０１７８】
これにより、ウェブ等から収集される主観的な情報である感情情報とは、別に、任意の位置の事象或いは状況に関連する情報として、車両３（プローブ）からセンシング情報が収集される。センシング情報は、車両３の乗員の意思とは関係なく、車両３の移動に伴い、様々な場所で取得されうると共に、多数の車両３から取得されうる。従って、センタサーバ５は、実世界の様々な位置の事象や状況に関連するセンシング情報を幅広く収集し、センシング情報の取得位置に対応する感情情報と共に、それぞれの内容を地図画像上の対応する位置に表示させ、ユーザに提供することができる。
【０１７９】
また、本実施形態では、情報配信部５２０９は、センシング情報が車両３により取得された取得時刻を含む所定時間内の感情情報（ＳＮＳ投稿情報）に含まれる情報を地図画像上の対応する位置に表示させる。
【０１８０】
これにより、携帯端末４のディスプレイ４５には、センシング情報の取得位置に関するＳＮＳ投稿情報のうち、取得時刻周辺の時間帯のＳＮＳ投稿情報に含まれる情報が表示される。従って、センタサーバ５は、センシング情報の取得時刻及び取得位置における事象や状況に対応するＳＮＳ投稿情報に含まれる情報を携帯端末４のディスプレイ４５の地図画像上に適切に表示させることができる。
【０１８１】
また、本実施形態では、情報配信部５２０９は、直近の所定時間内で取得されたセンシング情報に含まれる情報を地図画像上の対応する位置に表示させる。
【０１８２】
これにより、センタサーバ５は、直近の所定時間内の比較的新しい、即ち、リアルタイム性の高い、センシング情報に含まれる情報を、携帯端末４のディスプレイ４５に表示させることができる。
【０１８３】
また、本実施形態では、センシング情報分析部５２０４は、プローブ情報蓄積処理部５２０２により収集されるセンシング情報に基づき、該センシング情報が車両３により取得された取得位置の周辺の事象又は状況を判断する。そして、情報配信部５２０９は、センシング情報に含まれる情報として、事象又は状況に関する情報（事象・状況情報）を地図画像上の対応する位置に表示させる。
【０１８４】
これにより、センタサーバ５は、センシング情報に基づき、取得位置の周辺の事象又は状況を判断し、具体的に、センシング情報の取得位置周辺の事象又は状況を携帯端末４のディスプレイ４５に表示させることができる。
【０１８５】
また、本実施形態では、ＳＮＳ情報分析部５２０５は、ＳＮＳクローラ部５２０３により収集される、共通の位置に関するＳＮＳ投稿情報に基づき、該ＳＮＳ投稿情報により示される、ポジティブ感情とネガティブ感情との区別を含む感情傾向を判断する。そして、情報配信部５２０９は、ＳＮＳ投稿情報に含まれる情報として、感情傾向に関する情報（感情傾向情報）を地図画像上の対応する位置に表示させる。
【０１８６】
これにより、センタサーバ５は、例えば、共通の位置に関するＳＮＳ投稿情報から当該位置に関するポジティブ感情が多いのか、ネガティブ感情が多いのか等を判断し、具体的に、このような感情傾向を携帯端末４のディスプレイ４５に表示させることができる。
【０１８７】
また、本実施形態では、センシング情報には、車両３の周辺を撮像した撮像画像が含まれる。
【０１８８】
これにより、センタサーバ５は、例えば、撮像画像に対する既知の画像認識処理等を施すことにより、撮像画像の取得位置の周辺の様々な事象や状況を具体的に判断し、携帯端末４のディスプレイ４５に表示させることができる。
【０１８９】
また、本実施形態では、ＳＮＳクローラ部５２０３は、感情情報として、ＳＮＳ上に出力されるＳＮＳ投稿情報を収集する。
【０１９０】
これにより、センタサーバ５は、ＳＮＳ上に出力される多数のＳＮＳ投稿情報の中からセンシング情報の取得位置に関する情報を収集することができる。従って、センタサーバ５は、様々な位置に関するＳＮＳ投稿情報を幅広く収集し、ユーザに提供することができる。
【０１９１】
尚、本例では、ＳＮＳだけが感情情報の収集対象とされるが、ＳＮＳを含むウェブ上で広く出力される様々な投稿情報を収集対象としてもよい。
【０１９２】
また、本実施形態では、情報配信部５２０９は、ユーザ関連情報取得部５２０７により取得される携帯端末４のユーザの移動手段の別に基づき、携帯端末４のディスプレイ４５に表示される地図画像に含まれるエリアを異ならせる。
【０１９３】
これにより、センタサーバ５は、例えば、移動手段によって、ユーザの想定される移動距離が異なり得るところ、想定される移動距離（移動可能範囲）に合わせて、地図画像に表示されるエリアの大きさを変更させることができる。従って、センタサーバ５は、ユーザが実際に移動可能な位置に関するセンシング情報及びＳＮＳ投稿情報のそれぞれに含まれる情報をユーザに提供することができる。
【０１９４】
また、本実施形態では、情報配信部５２０９は、携帯端末４のユーザの目的地に基づき、ディスプレイ４５に表示される地図画像に含まれるエリアを異ならせてもよい。
【０１９５】
これにより、センタサーバ５は、例えば、現在地からユーザが向かう目的地までの移動方向寄りのエリアの地図画像を表示させたり、目的地までの距離が比較的遠い場合、地図画像の縮尺を小さくしたり等することができる。従って、センタサーバ５は、ユーザが向かう目的地までの移動経路の方面の位置に関するセンシング情報及びＳＮＳ投稿情報のそれぞれに含まれる情報をユーザに提供することができる。
【０１９６】
また、本実施形態では、経由地推奨部５２０８は、携帯端末４のユーザの現在地から目的地までの間で、情報配信部５２０９がディスプレイ４５の地図画像上に表示させる、センシング情報及びＳＮＳ投稿情報のそれぞれに含まれる情報に関する位置の中から推奨する経由地を決定する。そして、情報配信部５２０９は、経由地推奨部５２０８により推奨される経由地を地図画像上に表示させる。
【０１９７】
これにより、センタサーバ５は、ユーザの現在地から目的地までの間で、地図画像上に表示される対象の情報（センシング情報及びＳＮＳ投稿情報のそれぞれに含まれる情報）に関する位置の中から、例えば、ＳＮＳ投稿情報に含まれる情報としてポジティブ感情に関する情報が示される位置を経由地としてユーザに推奨することができる。
【０１９８】
また、本実施形態では、ユーザ関連情報取得部５２０７は、ユーザの嗜好性に関する特性情報（嗜好特性情報）を取得する。そして、経由地推奨部５２０８は、嗜好特性情報に基づき、経由地を決定してもよい。
【０１９９】
これにより、センタサーバ５は、携帯端末４のユーザの嗜好性に合わせて、例えば、ユーザの嗜好性に適合する施設や店舗等の位置を経由地として推奨することができる。
【０２００】
また、本実施形態では、ユーザ関連情報取得部５２０７は、ユーザのスケジュール情報を取得する。そして、経由地推奨部５２０８は、ユーザの現在地からスケジュール情報に基づく次のスケジュールに対応する目的地までの間で、次のスケジュールまでの空き時間に基づき、経由地を決定する。
【０２０１】
これにより、センタサーバ５は、例えば、携帯端末４等のスケジュールアプリを連携し、ユーザのスケジュール情報を取得し、現在地から次のスケジュールの目的地までの間で、空き時間に合わせた経由地を推奨することができる。
【０２０２】
以上、本発明を実施するための形態について詳述したが、本発明はかかる特定の実施形態に限定されるものではなく、特許請求の範囲に記載された本発明の要旨の範囲内において、種々の変形・変更が可能である。
【０２０３】
例えば、本実施形態では、センタサーバ５は、携帯端末４を対象として合成地図画像を配信するサービスを行うが、車両を対象として、車両に搭載される車載機に合成地図画像を配信してもよい。これにより、車両の車載機は、車両に搭載されるディスプレイ等に合成地図画像を表示させることができ、当該対象の車両（対象車両）のユーザに対して、上述の携帯端末４のユーザと同様の情報を提供することができる。この場合、対象車両は、上述したプローブとして機能する車両３であってもよいし、車両３以外の車両であってもよい。
【符号の説明】
【０２０４】
１  情報提供システム
３  車両
４  携帯端末
５  センタサーバ（情報提供装置）
３１  ＤＣＭ
３２  ＥＣＵ
３３  ＧＰＳモジュール
３４  カメラ
４１  通信機器
４２  処理装置
４３  ＧＰＳモジュール
４４  加速度センサ
４５  タッチパネルディスプレイ
５１  通信機器
５２  処理装置
３２１  車両情報取得部
３２２  プローブ情報送信部
４２０  記憶部
４２０Ａ  地図情報ＤＢ
４２１  通信処理部
４２２  表示処理部
４２３  移動手段特定部
４２４  情報提供部
６００  合成地図画像
５２００  記憶部
５２００Ａ  地図情報ＤＢ
５２００Ｂ  プローブ情報ＤＢ
５２００Ｃ  ＳＮＳ情報ＤＢ
５２００Ｄ  事象・状況情報ＤＢ
５２００Ｅ  感情総括情報ＤＢ
５２００Ｆ  紐付け情報ＤＢ
５２００Ｇ  嗜好特性情報ＤＢ
５２００Ｈ  ＰＯＩ情報ＤＢ
５２０１  通信処理部
５２０２  プローブ情報蓄積処理部（センシング情報収集部）
５２０３  ＳＮＳクローラ部（感情情報収集部）
５２０４  センシング情報分析部
５２０５  ＳＮＳ情報分析部（感情情報分析部）
５２０６  紐付け部
５２０７  ユーザ関連情報取得部（移動手段情報取得部、特性情報取得部、スケジュール情報取得部）
５２０８  経由地推奨部
５２０９  情報配信部（表示制御部）
【図１】
2019020784.tif 000003
【図２】
2019020784.tif 000004
【図３】
2019020784.tif 000005
【図４】
2019020784.tif 000006
【図５】
2019020784.tif 000007
【図６】
2019020784.tif 000008